(57)【特許請求の範囲】
【請求項１】
無線周波数信号を発振する無線周波数信号発振手段と、
非接触型無線通信機器宛のデータに応じて、上記無線周波数信号発振手段から発振された無線周波数信号を単側波帯変調し、その単側波帯の変調信号を出力する変調手段と、
上記変調手段から出力された変調信号又は上記無線周波数信号発振手段から発振された無線周波数信号を送信する送信手段と、
上記送信手段から無線周波数信号が送信されているとき、上記非接触型無線通信機器から送信された両側波帯の変調信号を受信する受信手段と、
上記受信手段により受信された変調信号からデータを復調する復調手段と、
を備え、
上記変調手段は、
非接触型無線通信機器宛のデータを示すディジタル信号をディジタル回路により単側波帯変調する単側波帯変調器と、
上記単側波帯変調器によるディジタルの変調信号をアナログ信号に変換するＤ／Ａ変換器と、
上記Ｄ／Ａ変換器による変換後の変調信号と無線周波数信号を乗算する乗算器と、
上記乗算器から出力された乗算信号の単側波帯を除去するフィルタと、
を用いて構成していることを特徴とするデータ通信装置。
【請求項２】
無線周波数信号を発振する無線周波数信号発振手段と、
非接触型無線通信機器宛のデータに応じて、上記無線周波数信号発振手段から発振された無線周波数信号を単側波帯変調し、その単側波帯の変調信号を出力する変調手段と、
上記変調手段から出力された変調信号又は上記無線周波数信号発振手段から発振された無線周波数信号を送信する送信手段と、
上記送信手段から無線周波数信号が送信されているとき、上記非接触型無線通信機器から送信された両側波帯の変調信号を受信する受信手段と、
上記受信手段により受信された変調信号からデータを復調する復調手段と、
を備え、
上記復調手段は、上記変調手段から出力された変調信号が上側波帯の変調信号であれば、上記受信手段により受信された両側波帯の変調信号から下側波帯の変調信号を抽出し、上記変調手段から出力された変調信号が下側波帯の変調信号であれば、上記受信手段により受信された両側波帯の変調信号から上側波帯の変調信号を抽出し、上記下側波帯の変調信号または上記上側波帯の変調信号からデータを復調することを特徴とするデータ通信装置。
【請求項３】
無線周波数信号を発振する無線周波数信号発振手段と、
非接触型無線通信機器宛のデータに応じて、上記無線周波数信号発振手段から発振された無線周波数信号を単側波帯変調し、その単側波帯の変調信号を出力する変調手段と、
上記変調手段から出力された変調信号又は上記無線周波数信号発振手段から発振された無線周波数信号を送信する送信手段と、
上記送信手段から無線周波数信号が送信されているとき、上記非接触型無線通信機器から送信された両側波帯の変調信号を受信する受信手段と、
上記受信手段により受信された変調信号からデータを復調する復調手段と、
を備え、
上記復調手段は、
上記受信手段により受信された両側波帯の変調信号の単側波帯を除去して、単側波帯の変調信号を出力する単側波帯除去器と、
上記単側波帯除去器から出力された変調信号から、上記単側波帯除去器により除去された単側波帯を再生して、両側波帯の変調信号を出力する単側波帯再生器と、
上記単側波帯再生器から出力された両側波帯の変調信号からデータを復調するデータ復調器と、
を用いて構成していることを特徴とするデータ通信装置。
【請求項４】
変調手段は、単側波帯の変調信号を出力する際、その変調信号に搬送波成分を含めて出力することを特徴とする請求項１から請求項３のうちのいずれか１項記載のデータ通信装置。
【請求項５】
送信対象のデータに応じて無線周波数信号を単側波帯変調し、その単側波帯の変調信号又は当該無線周波数信号を送信する一方、その無線周波数信号を送信しているとき、両側波帯の変調信号を受信すると、その両側波帯の変調信号からデータを復調するデータ通信装置と、
上記データ通信装置から送信された単側波帯の変調信号を受信すると、その変調信号からデータを復調する一方、上記データ通信装置から送信された無線周波数信号を受信すると、上記データ通信装置宛のデータを両側波帯変調して、その両側波帯の変調信号を上記データ通信装置に送信する非接触型無線通信機器と、
を備え、
複数のデータ通信装置が設置される場合、相互に応答帯域を接近、または、共有できるよう周波数が異なる無線周波数信号が各データ通信装置に割り当てられ、
上記各データ通信装置は、隣接帯域の無線周波数信号が割り当てられている他のデータ通信装置が上側波帯の変調信号を送信して下側波帯の変調信号を送信しない場合、上側波帯の変調信号を送信せずに下側波帯の変調信号を送信し、上記他のデータ通信装置が下側波帯の変調信号を送信して上側波帯の変調信号を送信しない場合、下側波帯の変調信号を送信せずに上側波帯の変調信号を送信することを特徴とするデータ通信システム。
【請求項６】
送信対象のデータに応じて無線周波数信号を単側波帯変調し、その単側波帯の変調信号又は当該無線周波数信号を送信する一方、その無線周波数信号を送信しているとき、両側波帯の変調信号を受信すると、その両側波帯の変調信号からデータを復調するデータ通信装置と、
上記データ通信装置から送信された単側波帯の変調信号を受信すると、その変調信号からデータを復調する一方、上記データ通信装置から送信された無線周波数信号を受信すると、上記データ通信装置宛のデータを両側波帯変調して、その両側波帯の変調信号を上記データ通信装置に送信する非接触型無線通信機器と、
を備え、
複数のデータ通信装置が設置される場合、相互に周波数が異なる無線周波数信号が各データ通信装置に割り当てられ、
周波数が最も低い無線周波数信号が割り当てられるデータ通信装置は、下側波帯の変調信号を送信せずに上側波帯の変調信号を送信し、周波数が最も高い無線周波数信号が割り当てられるデータ通信装置は、上側波帯の変調信号を送信せずに下側波帯の変調信号を送信し、
周波数が最も低い無線周波数信号の帯域または最も高い無線周波数信号の帯域は、他用途の帯域または該他用途の帯域との境界に設けられたガードバンドに対して、接近、または、共有して割り当てられることを特徴とするデータ通信システム。
【請求項７】
送信対象のデータに応じて無線周波数信号を単側波帯変調し、その単側波帯の変調信号又は当該無線周波数信号を送信する一方、その無線周波数信号を送信しているとき、両側波帯の変調信号を受信すると、その両側波帯の変調信号からデータを復調するデータ通信装置と、
上記データ通信装置から送信された単側波帯の変調信号を受信すると、その変調信号からデータを復調する一方、上記データ通信装置から送信された無線周波数信号を受信すると、上記データ通信装置宛のデータを両側波帯変調して、その両側波帯の変調信号を上記データ通信装置に送信する非接触型無線通信機器と、
を備え、
複数のデータ通信装置が設置される場合、上記複数のデータ通信装置で使用される無線周波数信号の周波数帯域は複数あり、各々の周波数帯域は上側波帯の変調信号または下側波帯の変調信号が割り当てられ、上側波帯の変調信号が割り当てられる帯域と下側波帯の変調信号が割り当てられる帯域が相互に応答帯域を接近、または、共有できるよう隣接することを特徴とするデータ通信システム。
【請求項８】
送信対象のデータに応じて無線周波数信号を単側波帯変調し、その単側波帯の変調信号又は当該無線周波数信号を送信する一方、その無線周波数信号を送信しているとき、両側波帯の変調信号を受信すると、その両側波帯の変調信号からデータを復調するデータ通信装置と、
上記データ通信装置から送信された単側波帯の変調信号を受信すると、その変調信号からデータを復調する一方、上記データ通信装置から送信された無線周波数信号を受信すると、上記データ通信装置宛のデータを両側波帯変調して、その両側波帯の変調信号を上記データ通信装置に送信する非接触型無線通信機器と、
を備え、
複数のデータ通信装置が設置される場合、上記複数のデータ通信装置で使用される無線周波数信号の周波数帯域は複数あり、
周波数が最も低い無線周波数信号の帯域は上側波帯の変調信号が割り当てられ、周波数が最も高い無線周波数信号の帯域は下側波帯の変調信号が割り当てられ、
周波数が最も低い無線周波数信号の帯域または最も高い無線周波数信号の帯域は、他用途の帯域または該他用途の帯域との境界に設けられたガードバンドに対して、接近、または、共有して割り当てられることを特徴とするデータ通信システム。
【発明の詳細な説明】
【技術分野】
【０００１】
この発明は、非接触型無線通信機器（例えば、非接触ＩＣカード、ＲＦタグ、電子タグ、キーレスエントリ）とデータ通信を実施するデータ通信装置及びデータ通信システムに関するものである。
【背景技術】
【０００２】
従来のデータ通信装置は、無線周波数信号であるＲＦ信号をＡＳＫ変調して、その変調信号を出力するＡＳＫ変調器と、そのＡＳＫ変調器から出力された変調信号を増幅する増幅器と、その増幅器により増幅された変調信号を非接触型無線通信機器に送信するアンテナとから構成されている。
【０００３】
非接触型無線通信機器は、近隣にデータ通信装置が設置されていれば（データ通信装置までの距離が数十センチメートル程度）、データ通信装置から送信された電力供給用信号（例えば、ＲＦ信号）を受信することにより、その電力供給用信号を整流して駆動用電力を取得し、その電力を内蔵のコンデンサに蓄積する。
以後、コンデンサに蓄積した電力を利用して、データ通信装置から送信された変調信号（例えば、コマンドなどのデータ信号）を受信してデータを復調する処理や、データ通信装置から送信された無変調信号を変調して、その変調信号（例えば、コマンドなどのデータ信号）をデータ通信装置に送信するなどの処理が可能になる（例えば、非特許文献１を参照）。
【０００４】
これにより、データ通信装置は、非接触型無線通信機器から送信される変調信号を受信する際に、レスポンス用信号であるＣＷ（無変調の連続波：例えば、ＲＦ信号）を非接触型無線通信機器に送信することになるが、自己の位置から数キロメートル程度の位置に他のデータ通信装置が設置されている場合、非接触型無線通信機器から変調信号（例えば、コマンドなどのデータ信号）を受信するタイミングで、他のデータ通信装置から変調信号（例えば、コマンドなどのデータ信号）を受信することがある。
このように、非接触型無線通信機器から変調信号を受信するタイミングで、他のデータ通信装置から変調信号を受信すると、その変調信号が干渉波になり、非接触型無線通信機器から送信された変調信号を正確に復調することができなくなることがある。
【０００５】
なお、複数のデータ通信装置を設置する場合、相互間の距離が短ければ、相互干渉を回避するため、異なる周波数を割り当てるが、割当可能な周波数の数が限られているため、相互間の距離が数キロメートル程度であっても、同一の周波数を割り当てなければならないことがある。
なお、相互干渉を回避することが可能な相互間の距離は、数十キロメートル程度である。
【先行技術文献】
【非特許文献】
【０００６】
【非特許文献１】ＭＷＥ２００３  Ｍｉｃｒｏｗａｖｅ  Ｗｏｒｋｓｈｏｐ  Ｄｉｇｅｓｔ「超小型ＲＦＩＤチップ：ミューチップ」宇佐美  光雄著  株式会社日立製作所  中央研究所  ２００３年発行、第２３５頁〜第２３８頁
【発明の概要】
【発明が解決しようとする課題】
【０００７】
従来のデータ通信装置は以上のように構成されているので、非接触型無線通信機器から変調信号を受信するタイミングで、他のデータ通信装置から変調信号を受信すると、その変調信号が干渉波になり、非接触型無線通信機器から送信された変調信号を正確に復調することができなくなることがある課題があった。
【０００８】
この発明は上記のような課題を解決するためになされたもので、他のデータ通信装置から送信される変調信号の影響を受けずに、非接触型無線通信機器から送信された変調信号を正確に復調することができるデータ通信装置及びデータ通信システムを得ることを目的とする。
【課題を解決するための手段】
【０００９】
この発明に係るデータ通信装置は、無線周波数信号を発振する無線周波数信号発振手段と、非接触型無線通信機器宛のデータに応じて、無線周波数信号発振手段から発振された無線周波数信号を単側波帯変調し、その単側波帯の変調信号を出力する変調手段と、変調手段から出力された変調信号又は無線周波数信号発振手段から発振された無線周波数信号を送信する送信手段と、送信手段から無線周波数信号が送信されているとき、非接触型無線通信機器から送信された両側波帯の変調信号を受信する受信手段と、受信手段により受信された変調信号からデータを復調する復調手段とを備え、変調手段は、非接触型無線通信機器宛のデータを示すディジタル信号をディジタル回路により単側波帯変調する単側波帯変調器と、単側波帯変調器によるディジタルの変調信号をアナログ信号に変換するＤ／Ａ変換器と、Ｄ／Ａ変換器による変換後の変調信号と無線周波数信号を乗算する乗算器と、乗算器から出力された乗算信号の単側波帯を除去するフィルタと、を用いて構成したものである。
【発明の効果】
【００１０】
このことによって、データ通信装置が両側波帯の変調信号を送信する場合と比べて、他のデータ通信装置から送信される変調信号の影響を軽減し、あるいは、全く影響を受けずに、非接触型無線通信機器から送信された変調信号を復調することができる効果がある。
【図面の簡単な説明】
【００１１】
【図１】この発明の実施の形態１によるデータ通信システムを示す構成図である。
【図２】この発明の実施の形態１によるデータ通信装置と非接触ＩＣカードを示す構成図である。
【図３】ＳＳＢ変調回路の内部を示す構成図である。
【図４】ＳＳＢ復調回路の内部を示す構成図である。
【図５】この発明の実施の形態１によるデータ通信方法を示すフローチャートである。
【図６】スペクトラム分布を示す説明図である。
【図７】スペクトラム分布を示す説明図である。
【図８】ＳＳＢ変調回路の処理内容を説明する説明図である。
【図９】ＳＳＢ変調回路の処理内容を説明する説明図である。
【図１０】ＳＳＢ変調回路の処理内容を説明する説明図である。
【図１１】ＳＳＢ変調回路の内部を示す構成図である。
【図１２】ＳＳＢ変調回路の処理内容を説明する説明図である。
【図１３】ＳＳＢ変調回路の処理内容を説明する説明図である。
【図１４】ＳＳＢ変調回路の処理内容を説明する説明図である。
【図１５】各データ通信装置のチャネル間隔を示す説明図である。
【図１６】各データ通信装置のチャネル間隔を示す説明図である。
【図１７】スペクトラム分布を示す説明図である。
【発明を実施するための形態】
【００１２】
以下、この発明をより詳細に説明するために、この発明を実施するための最良の形態について、添付の図面に従って説明する。
実施の形態１．
図１はこの発明の実施の形態１によるデータ通信システムを示す構成図である。
【００１３】
図において、データ通信装置１は例えばリーダライタ装置（質問器）などが該当し、電力供給用信号（ＣＷ：無変調の連続波）、コマンドなどのデータ信号（変調波）又はレスポンス用信号（ＣＷ：無変調の連続波）を非接触ＩＣカード２に送信する。
非接触型無線通信機器である非接触ＩＣカード２はデータ通信装置１から送信された電力供給用信号を受信すると、その電力供給用信号によって内蔵のコンデンサを充電し、以後、そのコンデンサに蓄積された電荷を電力源として利用して、例えば、データ通信装置１から送信されたデータ信号（変調波）を受信してデータを復調する処理や、データ通信装置１宛のデータを変調して、その変調信号をデータ通信装置１に送信する処理などを実施する。
データ通信装置３はデータ通信装置１の近隣に設置されているデータ通信装置である。ただし、データ通信装置３の構成は、データ通信装置１の構成と同じである。
【００１４】
図２はこの発明の実施の形態１によるデータ通信装置と非接触ＩＣカードを示す構成図である。
図において、データ通信装置１のデータ送信器１１は非接触ＩＣカード２に送信するコマンドなどの送信データ、電力供給用の定型データ、あるいは、レスポンス用の定型データを出力する。
ＲＦ信号発振器１２はデータ送信器１１から出力されたデータがコマンドなどの送信データである場合、あるいは、データ送信器１１から出力されたデータがレスポンス用の定型データである場合、周波数ｆ１の無変調信号（無線周波数信号）を発振する。また、データ送信器１１から出力されたデータが電力供給用の定型データである場合、周波数ｆ２の無変調信号（無線周波数信号）を発振する。なお、ＲＦ信号発振器１２は無線周波数信号発振手段を構成している。
【００１５】
切換スイッチ１３はデータ送信器１１から送信データが出力されると、ＲＦ信号発振器１２から発振された周波数ｆ１の無変調信号をＳＳＢ変調回路１４に出力し、データ送信器１１から電力供給用の定型データ又はレスポンス用の定型データが出力されると、ＲＦ信号発振器１２から発振された周波数ｆ２の無変調信号又は周波数ｆ１の無変調信号をレベル調整器１５に出力する。
【００１６】
ＳＳＢ変調回路１４はデータ送信器１１から出力された送信データに応じて、ＲＦ信号発振器１２から発振された周波数ｆ１の無変調信号をＳＳＢ（Ｓｉｎｇｌｅ  Ｓｉｄｅ  Ｂａｎｄ）変調し、その単側波帯の変調信号を出力する。なお、ＳＳＢ変調回路１４は変調手段を構成している。
レベル調整器１５はＲＦ信号発振器１２から発振された周波数ｆ１又は周波数ｆ２の無変調信号のピーク電力を調整して、その無変調信号のピーク電力をＳＳＢ変調回路１４から出力される変調信号のピーク電力より大きくする。
【００１７】
切換スイッチ１６はデータ送信器１１から送信データが出力されると、ＳＳＢ変調回路１４から出力された変調信号を増幅器１７に出力し、データ送信器１１から電力供給用の定型データ又はレスポンス用の定型データが出力されると、レベル調整器１５から出力された無変調信号を増幅器１７に出力する。
増幅器１７は切換スイッチ１６から出力された変調信号又は無変調信号を増幅する。
【００１８】
サーキュレータ１８は増幅器１７から出力された変調信号又は無変調信号をアンテナ１９に出力する一方、アンテナ１９により受信された両側波帯の変調信号をＳＳＢ復調回路２０に出力する。
アンテナ１９は増幅器１７により増幅された変調信号又は無変調信号を非接触ＩＣカード２に送信する一方、非接触ＩＣカード２から送信された両側波帯の変調信号を受信する。なお、サーキュレータ１８及びアンテナ１９から送信手段と受信手段が構成されている。
ＳＳＢ復調回路２０はアンテナ１９により受信された両側波帯の変調信号からデータを復調する。なお、ＳＳＢ復調回路２０は復調手段を構成している。
【００１９】
非接触ＩＣカード２のアンテナ２１はデータ通信装置１から送信された変調信号又は無変調信号を受信する。充電回路２２はアンテナ２１の受信信号が周波数ｆ２の無変調信号であれば、その無変調信号を整流して駆動用電力を取得し、その駆動用電力をコンデンサ２３に蓄積する。
変復調回路２４は充電回路２２のコンデンサ２３に蓄積された電力を利用して駆動し、アンテナ２１の受信信号が周波数ｆ１の変調信号であれば、その変調信号からコマンドなどのデータを復調し、そのデータに応じた処理を実施する。また、アンテナ２１の受信信号が周波数ｆ１の無変調信号であれば、データ通信装置１宛のデータで無変調信号を変調し、その変調信号をアンテナ２１に出力する。
【００２０】
図３はＳＳＢ変調回路１４をディジタル回路で構成した場合の構成図の一例であり、図において、局部発振器３１は例えば１０ＭＨｚの局部発振信号を発振する。ＳＳＢ変調器３２は９０度移相器３２ａ，３２ｂ、乗算器３２ｃ，３２ｄ及び加算器３２ｅから構成され、データ送信器１１から出力されたデータであるディジタル信号を用いて、局部発振器３１から発振された局部発振信号をＳＳＢ変調する。
Ｄ／Ａ変換器３３はＳＳＢ変調器３２から出力されたディジタルの変調信号をアナログ信号に変換する。
【００２１】
ＲＦ信号発振器３４は例えば９４０ＭＨｚの無線周波数信号を発振する。乗算器３５はＤ／Ａ変換器３３によるＤ／Ａ変換後の変調信号とＲＦ信号発振器３４から発振された無線周波数信号を乗算し、両側波帯の変調信号を出力する。
バンドパスフィルタ３６は乗算器３５から出力された変調信号の単側波帯を除去して、単側波帯の変調信号を出力する。
【００２２】
図４はＳＳＢ復調回路２０の内部を示す構成図であり、図において、ＲＦ信号発振器４１は例えば９５０ＭＨｚの無線周波数信号を発振する。単側波帯除去器４２は乗算器４２ａ，４２ｂ、９０度移相器４２ｃ，４２ｄ、加算器４２ｅ及び低域通過フィルタ４２ｆ，４２ｇから構成され、ＲＦ信号発振器４１から発振された無線周波数信号を用いて、アンテナ１９により受信された両側波帯の変調信号の単側波帯を除去する。
【００２３】
単側波帯再生器４３は単側波帯除去器４２から出力された変調信号から、単側波帯除去器４２により除去された単側波帯を再生して、両側波帯の変調信号を出力する。
ＤＳＢ復調器４４は単側波帯再生器から出力された両側波帯の変調信号に対するＤＳＢ（Ｄｏｕｂｌｅ  Ｓｉｄｅ  Ｂａｎｄ）復調を実施して、自己宛のデータを復調する。
【００２４】
次に動作について説明する。
この実施の形態１では、後述するように、データ通信装置１やデータ通信装置３が変調信号を送信する場合、単側波帯の変調信号を送信するが、従来のように、両側波帯の変調信号を送信する場合、図６に示すように、搬送波である無線周波数信号を挟む２つの周波数帯が占有されることになる。
【００２５】
この際、非接触ＩＣカード２がデータをデータ通信装置１に送信する場合も、ほぼ同じ周波数帯を使用して、両側波帯の変調信号を送信するため、非接触ＩＣカード２が両側波帯の変調信号をデータ通信装置１に送信するタイミングで、他のデータ通信装置３が両側波帯の変調信号を送信すると、その変調波が干渉波になり、データ通信装置１における非接触ＩＣカード２からの変調信号の受信精度が劣化する。
【００２６】
この実施の形態１では、非接触ＩＣカード２が両側波帯の変調信号をデータ通信装置１に送信するタイミングで、他のデータ通信装置３が変調信号を送信しても、その変調波が干渉波にならないようにするため、図７に示すように、データ通信装置１やデータ通信装置３が送信する変調信号を単側波帯の変調信号にしている。
以下、具体的に説明する。
【００２７】
図５はこの発明の実施の形態１によるデータ通信方法を示すフローチャートである。
非接触ＩＣカード２は、電池などの電力源を搭載しておらず、外部から電力の供給を受けない限り、起動することができない。
そこで、データ通信装置１がコマンドなどのデータを送信するに先立って、非接触の状態で、非接触ＩＣカード２に電力を供給する。
即ち、データ通信装置１のデータ送信器１１は、コマンドなどの送信データを出力する前に、電力供給用の定型データをＲＦ信号発振器１２，切換スイッチ１３，１６及びＳＳＢ変調回路１４に出力する（ステップＳＴ１）。
【００２８】
ここで、電力供給用の定型データは、例えば、制御命令などの意味のあるデータではなく、情報の伝達を目的とするものではないので、データの内容はいかなるものでもよいが、コマンドなどの送信データや、レスポンス用の定型データと明確に区別できるデータであることが望ましい。
【００２９】
データ通信装置１のＲＦ信号発振器１２は、データ送信器１１からデータを受けると、そのデータが電力供給用の定型データであるのか、コマンドなどの送信データであるのか、レスポンス用の定型データであるのかを確認する（ステップＳＴ２，ＳＴ７）。
ＲＦ信号発振器１２は、データ送信器１１から出力されたデータが電力供給用の定型データであると認定すると、予め割り当てられている周波数ｆ２の無変調信号を発振する（ステップＳＴ３）。
【００３０】
データ通信装置１の切換スイッチ１３は、データ送信器１１からデータを受けると、そのデータが電力供給用の定型データであるのか、コマンドなどの送信データであるのか、レスポンス用の定型データであるのかを確認する。
切換スイッチ１３は、データ送信器１１から出力されたデータが電力供給用の定型データであると認定すると、ＲＦ信号発振器１２から発振された周波数ｆ２の無変調信号をレベル調整器１５に出力する。
【００３１】
データ通信装置１のレベル調整器１５は、ＲＦ信号発振器１２から発振された周波数ｆ２の無変調信号を受けると、その無変調信号のピーク電力を調整して、その無変調信号のピーク電力をＳＳＢ変調回路１４から出力される変調信号のピーク電力より大きくする（ステップＳＴ４）。
即ち、電力供給用の無変調信号のピーク電力が、データ送信用の変調信号のピーク電力より大きくなるように、ＲＦ信号発振器１２から発振された無変調信号のピーク電力を調整する。
【００３２】
データ通信装置１の切換スイッチ１６は、データ送信器１１からデータを受けると、そのデータが電力供給用の定型データであるのか、コマンドなどの送信データであるのか、レスポンス用の定型データであるのかを確認する。
切換スイッチ１６は、データ送信器１１から出力されたデータが電力供給用の定型データであると認定すると、レベル調整器１５から出力された無変調信号を増幅器１７に出力する。
【００３３】
データ通信装置１の増幅器１７は、切換スイッチ１６から周波数ｆ２の無変調信号を受けると、その無変調信号を増幅する（ステップＳＴ５）。
データ通信装置１のサーキュレータ１８は、増幅器１７から増幅後の無変調信号を受けると、その無変調信号をアンテナ１９に出力する。
データ通信装置１のアンテナ１９は、サーキュレータ１８から増幅後の無変調信号を受けると、その無変調信号を電力供給用信号として空中に放射することにより、その無変調信号を非接触ＩＣカード２に送信する（ステップＳＴ６）。
【００３４】
非接触ＩＣカード２のアンテナ２１は、データ通信装置１から送信された周波数ｆ２の無変調信号を受信する。
非接触ＩＣカード２の充電回路２２は、アンテナ２１の受信信号が周波数ｆ２の無変調信号であれば、その無変調信号を整流して駆動用電力を取得し、その駆動用電力をコンデンサ２３に蓄積する。
【００３５】
次に、データ通信装置１がデータを非接触ＩＣカード２に送信する場合、データ通信装置１のデータ送信器１１が、コマンドなどの送信データをＲＦ信号発振器１２，切換スイッチ１３，１６及びＳＳＢ変調回路１４に出力する（ステップＳＴ１）。
データ通信装置１のＲＦ信号発振器１２は、データ送信器１１からデータを受けると、そのデータが電力供給用の定型データであるのか、コマンドなどの送信データであるのか、レスポンス用の定型データであるのかを確認する（ステップＳＴ２，ＳＴ７）。
ＲＦ信号発振器１２は、データ送信器１１から出力されたデータがコマンドなどの送信データであると認定すると、予め割り当てられている周波数ｆ１の無変調信号を発振する（ステップＳＴ８）。
【００３６】
データ通信装置１の切換スイッチ１３は、データ送信器１１からデータを受けると、そのデータが電力供給用の定型データであるのか、コマンドなどの送信データであるのか、レスポンス用の定型データであるのかを確認する。
切換スイッチ１３は、データ送信器１１から出力されたデータが送信データであると認定すると、ＲＦ信号発振器１２から発振された周波数ｆ１の無変調信号をＳＳＢ変調回路１４に出力する。
【００３７】
データ通信装置１のＳＳＢ変調回路１４は、データ送信器１１からデータを受けると、そのデータが電力供給用の定型データであるのか、コマンドなどの送信データであるのか、レスポンス用の定型データであるのかを確認する。
ＳＳＢ変調回路１４は、データ送信器１１から出力されたデータがコマンドなどの送信データであると認定すると、データ送信器１１から出力された送信データに応じて、ＲＦ信号発振器１２から発振された周波数ｆ１の無変調信号をＳＳＢ変調し、その単側波帯の変調信号を切換スイッチ１６に出力する（ステップＳＴ９）。
【００３８】
ＳＳＢ変調回路１４の具体的な処理内容は下記の通りである。
データ送信器１１から出力された送信データが“ｃｏｓωｔ”であり、局部発振器３１から発振された局部発振信号が“Ａｃｏｓωｃｔ”であるとする。
ＳＳＢ変調器３２の９０度移相器３２ａは、データ送信器１１から出力された送信データの位相を９０度進めて、“−ｓｉｎωｔ”を出力する。
ＳＳＢ変調器３２の９０度移相器３２ｂは、局部発振器３１から発振された局部発振信号の位相を９０度進めて、“−Ａｓｉｎωｃｔ”を出力する。
ＳＳＢ変調器３２がディジタル方式で直ちに９５０ＭＨｚ帯のＳＳＢ変調信号を生成するのは比較的難しいので、ここでは、局部発振器３１が例えば１０ＭＨｚの局部発振信号を発振するようにしている。
【００３９】
ＳＳＢ変調器３２の乗算器３２ｃは、データ送信器１１から出力された送信データ“ｃｏｓωｔ”と局部発振器３１から発振された局部発振信号“Ａｃｏｓωｃｔ”を乗算し、その乗算結果である“Ａｃｏｓωｔ・ｃｏｓωｃｔ”を出力する。
ＳＳＢ変調器３２の乗算器３２ｄは、９０度移相器３２ａから出力された“−ｓｉｎωｔ”と９０度移相器３２ｂから出力された“−Ａｓｉｎωｃｔ”を乗算し、その乗算結果である“Ａｓｉｎωｔ・ｓｉｎωｃｔ”を出力する。
ＳＳＢ変調器３２の加算器３２ｅは、乗算器３２ｃから出力された“Ａｃｏｓωｔ・ｃｏｓωｃｔ”と、乗算器３２ｄから出力された“Ａｓｉｎωｔ・ｓｉｎωｃｔ”とを加算することにより、図８に示すように、単側波帯の変調信号（上側波帯がなく、下側波帯のみの変調信号）である“Ａｃｏｓ（ωｃ−ω）ｔ”を生成する。
【００４０】
Ｄ／Ａ変換器３３は、ＳＳＢ変調器３２がディジタルの変調信号を生成すると、その変調信号をアナログ信号に変換する。
乗算器３５は、Ｄ／Ａ変換器３３によりＤ／Ａ変換された変調信号を受けると、その変調信号にＲＦ信号発振器３４から発振された例えば９４０ＭＨｚの無線周波数信号を乗算することにより、図９に示すように、９３０ＭＨｚの変調信号と９５０ＭＨｚの変調信号を出力する。
バンドパスフィルタ３６は、乗算器３５から出力された変調信号のうち、９３０ＭＨｚの変調信号を除去して、９５０ＭＨｚの変調信号（単側波帯の変調信号）を切換スイッチ１６に出力する（図１０を参照）。
【００４１】
データ通信装置１の切換スイッチ１６は、データ送信器１１からデータを受けると、そのデータが電力供給用の定型データであるのか、コマンドなどの送信データであるのか、レスポンス用の定型データであるのかを確認する。
切換スイッチ１６は、データ送信器１１から出力されたデータがコマンドなどの送信データであると認定すると、ＳＳＢ変調回路１４から出力された単側波帯の変調信号を増幅器１７に出力する。
【００４２】
データ通信装置１の増幅器１７は、切換スイッチ１６から単側波帯の変調信号を受けると、その変調信号を増幅する（ステップＳＴ５）。
データ通信装置１のサーキュレータ１８は、増幅器１７から増幅後の変調信号を受けると、その変調信号をアンテナ１９に出力する。
データ通信装置１のアンテナ１９は、サーキュレータ１８から増幅後の変調信号を受けると、その変調信号をデータ信号として空中に放射することにより、その変調信号を非接触ＩＣカード２に送信する（ステップＳＴ６）。
【００４３】
非接触ＩＣカード２のアンテナ２１は、データ通信装置１から送信された単側波帯の変調信号を受信する。
非接触ＩＣカード２の変復調回路２４は、アンテナ２１が単側波帯の変調信号を受信すると、充電回路２２のコンデンサ２３に蓄積された電力を利用して駆動し、その単側波帯の変調信号の包絡線を検波して、その変調信号からコマンドなどのデータを復調し、そのデータに応じた処理を実施する。
【００４４】
次に、データ通信装置１が非接触ＩＣカード２からデータを受信する場合、データ通信装置１のデータ送信器１１が、レスポンス用の定型データをＲＦ信号発振器１２，切換スイッチ１３，１６及びＳＳＢ変調回路１４に出力する（ステップＳＴ１）。
ここで、レスポンス用の定型データは、例えば、制御命令などの意味のあるデータではなく、情報の伝達を目的とするものではないので、データの内容はいかなるものでもよいが、コマンドなどの送信データや、電力供給用の定型データと明確に区別できるデータであることが望ましい。
【００４５】
データ通信装置１のＲＦ信号発振器１２は、データ送信器１１からデータを受けると、そのデータが電力供給用の定型データであるのか、コマンドなどの送信データであるのか、レスポンス用の定型データであるのかを確認する（ステップＳＴ２，ＳＴ７）。
ＲＦ信号発振器１２は、データ送信器１１から出力されたデータがレスポンス用の定型データであると認定すると、予め割り当てられている周波数ｆ１の無変調信号を発振する（ステップＳＴ１０）。
【００４６】
データ通信装置１の切換スイッチ１３は、データ送信器１１からデータを受けると、そのデータが電力供給用の定型データであるのか、コマンドなどの送信データであるのか、レスポンス用の定型データであるのかを確認する。
切換スイッチ１３は、データ送信器１１から出力されたデータがレスポンス用の定型データであると認定すると、ＲＦ信号発振器１２から発振された周波数ｆ１の無変調信号をレベル調整器１５に出力する。
【００４７】
データ通信装置１のレベル調整器１５は、ＲＦ信号発振器１２から発振された周波数ｆ１の無変調信号を受けると、その無変調信号のピーク電力を調整して、その無変調信号のピーク電力をＳＳＢ変調回路１４から出力される変調信号のピーク電力より大きくする（ステップＳＴ１１）。
即ち、レスポンス用の無変調信号のピーク電力が、データ送信用の変調信号のピーク電力より大きくなるように、ＲＦ信号発振器１２から発振された無変調信号のピーク電力を調整する。
【００４８】
データ通信装置１の切換スイッチ１６は、データ送信器１１からデータを受けると、そのデータが電力供給用の定型データであるのか、コマンドなどの送信データであるのか、レスポンス用の定型データであるのかを確認する。
切換スイッチ１６は、データ送信器１１から出力されたデータがレスポンス用の定型データであると認定すると、レベル調整器１５から出力された無変調信号を増幅器１７に出力する。
【００４９】
データ通信装置１の増幅器１７は、切換スイッチ１６から周波数ｆ１の無変調信号を受けると、その無変調信号を増幅する（ステップＳＴ５）。
データ通信装置１のサーキュレータ１８は、増幅器１７から増幅後の無変調信号を受けると、その無変調信号をアンテナ１９に出力する。
データ通信装置１のアンテナ１９は、サーキュレータ１８から増幅後の無変調信号を受けると、その無変調信号をレスポンス用信号として空中に放射することにより、その無変調信号を非接触ＩＣカード２に送信する（ステップＳＴ６）。
【００５０】
非接触ＩＣカード２のアンテナ２１は、データ通信装置１から送信された周波数ｆ１の無変調信号を受信する。
非接触ＩＣカード２の変復調回路２４は、アンテナ２１の受信信号が周波数ｆ１の無変調信号であれば、充電回路２２のコンデンサ２３に蓄積された電力を利用して駆動し、データ通信装置１宛のデータを変調し、周波数ｆ１の変調信号（両側波帯の変調信号）をアンテナ２１に出力する。
これにより、非接触ＩＣカード２から両側波帯の変調信号がデータ信号としてデータ通信装置１に送信される。
【００５１】
データ通信装置１のアンテナ１９は、非接触ＩＣカード２から送信されたデータ信号である両側波帯の変調信号を受信する。
即ち、レスポンス用信号である周波数ｆ１の無変調信号を送信しているタイミングで、データ信号である両側波帯の変調信号を受信する。
【００５２】
データ通信装置１のアンテナ１９は、データ信号である両側波帯の変調信号を受信する際、他のデータ通信装置３が変調信号を送信する場合があるが、図７に示すように、他のデータ通信装置３は下側波帯の変調信号のみを送信するので（データ通信装置３の構成は、データ通信装置１の構成と同じ）、非接触ＩＣカード２から送信された変調信号のうち、上側波帯の変調信号は、他のデータ通信装置３から送信される変調信号に干渉されない。
【００５３】
データ通信装置１のＳＳＢ復調回路２０は、アンテナ１９により受信された両側波帯の変調信号からデータを復調する。
即ち、ＳＳＢ復調回路２０は、非接触ＩＣカード２から送信された変調信号のうち、他のデータ通信装置３から送信される変調信号に干渉されない上側波帯の変調信号からデータを復調する。
【００５４】
ＳＳＢ復調回路２０の具体的な処理内容は下記の通りである。
アンテナ１９により受信された両側波帯の変調信号が“Ａ１ｃｏｓ（ωｃ＋ω１）ｔ＋Ａ２ｃｏｓ（ωｃ−ω２）ｔ”であり、ＲＦ信号発振器４１から発振された無線周波数信号が“ｃｏｓωｃｔ”であるとする。
単側波帯除去器４２の乗算器４２ａは、アンテナ１９により受信された両側波帯の変調信号と、ＲＦ信号発振器４１から発振された無線周波数信号を乗算し、その乗算結果である“（Ａ１／２）ｃｏｓω１ｔ＋（Ａ２／２）ｃｏｓω２ｔ”を出力する。
単側波帯除去器４２の９０度移相器４２ｃは、ＲＦ信号発振器４１から発振された無線周波数信号の位相を９０度進めて、“−ｓｉｎωｃｔ”を出力する。
【００５５】
単側波帯除去器４２の乗算器４２ｂは、アンテナ１９により受信された両側波帯の変調信号“Ａ１ｃｏｓ（ωｃ＋ω１）ｔ＋Ａ２ｃｏｓ（ωｃ−ω２）ｔ”と、９０度移相器４２ｃにより位相が９０度進められた無線周波数信号“−ｓｉｎωｃｔ”を乗算し、その乗算結果である“（Ａ１／２）ｓｉｎω１ｔ−（Ａ２／２）ｓｉｎω２ｔ”を出力する。
単側波帯除去器４２の９０度移相器４２ｄは、乗算器４２ａの乗算結果である“（Ａ１／２）ｓｉｎω１ｔ−（Ａ２／２）ｓｉｎω２ｔ”の位相を９０度進めて、“（Ａ１／２）ｃｏｓω１ｔ−（Ａ２／２）ｃｏｓω２ｔ”を出力する。
単側波帯除去器４２の加算器４２ｅは、乗算器４２ａの乗算結果と、９０度移相器４２ｄの出力とを加算することにより、アンテナ１９により受信された変調信号の下側波帯が除去され、上側波帯のみが残されている変調信号“Ａ１ｃｏｓω１ｔ”を出力する。
【００５６】
単側波帯再生器４３は、単側波帯除去器４２から上側波帯の変調信号“Ａｃｏｓωｔ”を受けると、例えば、上側波帯の変調信号の波形を下側波帯側に対称的にコピーすることにより、下側波帯の変調信号を再生して、両側波帯の変調信号を出力する。
ＤＳＢ復調器４４は、単側波帯再生器４３から両側波帯の変調信号を受けると、その両側波帯の変調信号に対するＤＳＢ復調を実施して、自己宛のデータを復調する。
【００５７】
以上で明らかなように、この実施の形態１によれば、非接触ＩＣカード２宛のデータに応じて無線周波数信号をＳＳＢ変調し、単側波帯の変調信号又は当該無線周波数信号を送信する一方、その無線周波数信号を送信しているとき、非接触ＩＣカード２から送信された両側波帯の変調信号を受信すると、その両側波帯の変調信号からデータを復調するように構成したので、データ通信装置が両側波帯の変調信号を送信する場合と比べて、他のデータ通信装置３から送信される変調信号の影響を軽減し、あるいは、全く影響を受けずに、非接触ＩＣカード２から送信された変調信号を復調することができる効果を奏する。
【００５８】
また、この実施の形態１によれば、アンテナ１９により受信された両側波帯の変調信号から単側波帯の変調信号を抽出し、その単側波帯の変調信号からデータを復調するように構成したので、他のデータ通信装置３から送信された変調信号に干渉されていない変調信号のみからデータが復調され、更に正確に復調することができる効果を奏する。
【００５９】
なお、この実施の形態１では、データ通信装置１，３が下側波帯の変調信号を送信し、非接触ＩＣカード２から送信された両側波帯の変調信号のうち、上側波帯の変調信号からデータを復調するものについて示したが、データ通信装置１，３が上側波帯の変調信号を送信し、非接触ＩＣカード２から送信された両側波帯の変調信号のうち、下側波帯の変調信号からデータを復調するようにしてもよい。
【００６０】
この実施の形態１では、データ通信装置１のＳＳＢ復調回路２０がアンテナ１９により受信された両側波帯の変調信号をＳＳＢ復調するものについて示したが、両側波帯の変調信号をＤＳＢ復調して、データを復調するようにしてもよい。
この場合、他のデータ通信装置３による変調波によって、干渉を受けている下側波帯の変調信号も復調対象に含まれるので、アンテナ１９により受信された両側波帯の変調信号をＳＳＢ復調する場合よりも、データの復調精度が劣化するが、上側波帯の変調信号は、干渉を受けていないので、他のデータ通信装置３が両側波帯の変調信号を送信する場合よりも、データの復調精度が向上する。
なお、アンテナ１９により受信された両側波帯の変調信号をＤＳＢ復調する場合、データ通信装置１の復調回路の回路構成を簡略化することができる。
【００６１】
また、上記実施の形態１では、データ送信器１１から出力されたデータがコマンドなどの送信データ、または、レスポンス用の定型データである場合、ＲＦ信号発振器１２が周波数ｆ１の無変調信号を発振するものについて示したが、相互に異なる周波数の無変調信号を発振するようにしてもよい。例えば、データ送信器１１から出力されたデータがコマンドなどの送信データであれば、ＲＦ信号発振器１２が周波数ｆ１の無変調信号を発振し、データ送信器１１から出力されたデータがレスポンス用の定型データであれば、ＲＦ信号発振器１２が周波数ｆ３の無変調信号を発振するようにしてもよい。
また、データ送信器１１から出力されたデータが電力供給用の定型データである場合、ＲＦ信号発振器１２が周波数ｆ２の無変調信号を発振するものについて示したが、データ送信器１１から出力されたデータがコマンドなどの送信データ、または、レスポンス用の定型データである場合と同様に、ＲＦ信号発振器１２が周波数ｆ１の無変調信号を発振するようにしてもよい。
この場合には、切換スイッチ１３，１６やレベル調整器１５は不要である。
【００６２】
この実施の形態１では、データ通信装置１が非接触ＩＣカード２に電力を供給し、非接触ＩＣカード２がその電力を利用して駆動するものについて示したが、必ずしもデータ通信装置１が非接触ＩＣカード２に電力を供給する必要はなく、非接触ＩＣカード２が他の電力（例えば、内蔵の電池から電力を取得）を利用して駆動するようにしてもよい。
【００６３】
実施の形態２．
上記実施の形態１では、ＳＳＢ変調回路１４が単側波帯の変調信号を切換スイッチ１６に出力するものについて示したが、ＳＳＢ変調回路１４が単側波帯の変調信号を出力する際、その変調信号に搬送波成分を含めて出力するようにしてもよい。
即ち、図１１に示すように、ＳＳＢ変調回路１４の加算器３２ｆがデータ送信器１１から出力された送信データ“ｃｏｓωｔ”と直流成分“Ｂ”を加算して、その加算結果である“ｃｏｓωｔ＋Ｂ”を乗算器３２ｄに出力することにより、ＳＳＢ変調器３２の加算器３２ｅが“Ａ｛ｃｏｓ（ωｃ−ω）ｔ＋Ｂｃｏｓωｃｔ｝”を出力するようにする。
【００６４】
これにより、ＳＳＢ変調器３２の加算器３２ｅから出力される信号は、図１２に示すように、周波数が１０ＭＨｚの部分に搬送波成分が含まれるようになる。
また、ＳＳＢ変調回路１４の乗算器３５から出力される信号は、図１３に示すように、周波数が９３０ＭＨｚ，９５０ＭＨｚの部分に搬送波成分が含まれるようになる。
さらに、ＳＳＢ変調回路１４のバンドパスフィルタ３６から出力される信号は、図１４に示すように、周波数が９５０ＭＨｚの部分に搬送波成分が含まれるようになる。
【００６５】
以上で明らかなように、この実施の形態２によれば、ＳＳＢ変調回路１４が単側波帯の変調信号を出力する際、その変調信号に搬送波成分を含めて出力するように構成したので、非接触ＩＣカード２の変復調回路２４が通常のＤＳＢ変調対応の回路であっても（ＳＳＢ変調対応の回路ではない）、単側波帯の変調信号の包絡線を検波して、その変調信号からコマンドなどのデータを復調することができる効果を奏する。
【００６６】
実施の形態３．
上記実施の形態１では、データ通信装置１とデータ通信装置３が同じ周波数の変調信号を送信するものについて示したが、データ通信装置１とデータ通信装置３の干渉を防止するため、データ通信装置１とデータ通信装置３が異なる周波数の変調信号を送信するようにしてもよい。即ち、データ通信装置１，３のＲＦ信号発振器１２から発振される無線周波数信号の周波数が異なるようにしてもよい。
【００６７】
このように、データ通信装置１とデータ通信装置３が異なる周波数の変調信号を送信する場合でも、その変調波を送信する際に高調波も送信されるので、図１５に示すように、チャネルの間隔を例えば３００ｋＨｚ以上空ける必要がある。ただし、図１５はデータ送信装置１，３がＳＳＢ変調を実施せずに、ＤＳＢ変調を実施して両側波帯の変調信号を送信する場合のスペクトルを示している。
したがって、データ通信装置１，３の数が多数に上る場合、データ通信システムが占有する周波数帯域が大きくなるが、実際に占有することが可能な周波数帯域は限られているので、各データ通信装置のチャネル間隔を狭くしなければ、設置可能なデータ通信装置の数を増やすことができない。
そこで、この実施の形態３では、次のようにして、各データ通信装置のチャネル間隔を狭くして、設置可能なデータ通信装置の数を増やすことができるようにしている。
【００６８】
即ち、この実施の形態３では、各データ通信装置がＳＳＢ変調して、単側波帯の変調信号を送信する際、図１６に示すように、送信しない単側波帯を交互とすることにより（ｃｈ１のデータ通信装置→下側波帯の変調信号（ＬＳＢ）を送信しない、ｃｈ２のデータ通信装置→上側波帯の変調信号（ＵＳＢ）を送信しない、ｃｈ３のデータ通信装置→下側波帯の変調信号（ＬＳＢ）を送信しない）、隣接チャネルにおける非接触ＩＣカード２からの応答帯域を接近、または、共有できるようにしている。
【００６９】
具体的には、ｃｈ２のデータ通信装置が下側波帯の変調信号（ＬＳＢ）を送信して、上側波帯の変調信号（ＵＳＢ）を送信しない場合、図１６に示すように、ｃｈ３のデータ通信装置は（ｃｈ２の周波数＜ｃｈ３の周波数であって、ｃｈ２とｃｈ３は隣接帯域の周波数であるとする）、下側波帯の変調信号（ＬＳＢ）を送信せずに上側波帯の変調信号（ＵＳＢ）を送信するようにする。
また、ｃｈ１のデータ通信装置も（ｃｈ１の周波数＜ｃｈ２の周波数であって、ｃｈ１とｃｈ２は隣接帯域の周波数であるとする）、下側波帯の変調信号（ＬＳＢ）を送信せずに上側波帯の変調信号（ＵＳＢ）を送信するようにする。
【００７０】
この場合、ｃｈ２とｃｈ３における非接触ＩＣカード２からの応答帯域、即ち、ｃｈ２のＵＳＢとｃｈ３のＬＳＢには、高調波が現れなくなるので、高調波が占有する領域（例えば、１００ｋＨｚ）を空ける必要がなくなる。そこで、ｃｈ２とｃｈ３の間隔を２００ｋＨｚ程度まで接近させるようにする。
また、ｃｈ２のＬＳＢとｃｈ１のＵＳＢは、非接触ＩＣカード２からの応答帯域ではなく（ｃｈ２はＵＳＢが応答帯域、ｃｈ１はＬＳＢが応答帯域）、両者を接近させて共有させても、非接触ＩＣカード２からの応答に影響しないので、ｃｈ１とｃｈ２の間隔を２００ｋＨｚ程度まで接近させるようにする。
【００７１】
以上で明らかなように、この実施の形態３によれば、例えば、ｃｈ２のデータ通信装置が下側波帯の変調信号（ＬＳＢ）を送信して、上側波帯の変調信号（ＵＳＢ）を送信しない場合、ｃｈ１，ｃｈ３のデータ通信装置が、下側波帯の変調信号（ＬＳＢ）を送信せずに上側波帯の変調信号（ＵＳＢ）を送信するように構成したので、各データ通信装置のチャネル間隔を狭くして、設置可能なデータ通信装置の数を増やすことができる効果を奏する。
【００７２】
実施の形態４．
上記実施の形態３では、例えば、ｃｈ２のデータ通信装置が下側波帯の変調信号（ＬＳＢ）を送信して、上側波帯の変調信号（ＵＳＢ）を送信しない場合、ｃｈ１，ｃｈ３のデータ通信装置が、下側波帯の変調信号（ＬＳＢ）を送信せずに上側波帯の変調信号（ＵＳＢ）を送信するものについて示したが、データ通信システムの中で、周波数が最も低い無線周波数信号が割り当てられるデータ通信装置は、下側波帯の変調信号（ＬＳＢ）を送信せずに上側波帯の変調信号（ＵＳＢ）を送信し、周波数が最も高い無線周波数信号が割り当てられるデータ通信装置は、上側波帯の変調信号（ＵＳＢ）を送信せずに下側波帯の変調信号（ＬＳＢ）を送信するようにしてもよい。
【００７３】
これにより、データ通信システムに割り当てられる無線周波数帯域と、その無線周波数帯域と隣接する他の用途（例えば、携帯電話）の無線周波数帯域との境界に設けるガードバンド幅を削減して通信帯域を増やすことができる効果を奏する。
【００７４】
実施の形態５．
上記実施の形態１では、特に言及していないが、各データ通信装置は、他のデータ通信装置が送信しない単側波帯相当の周波数帯域の信号を送信しないようにする規定が設けられている場合、その周波数帯域の変調信号や無線周波数信号を送信しないようにする。
これにより、図１７に示すように、各データ通信装置は、他のデータ通信装置宛の非接触ＩＣカード２からの応答に対して妨害を与えないようにすることができる効果を奏する。
【００７５】
以上のように、この発明に係るデータ通信装置は、電池などの電力源を搭載しておらず、外部から電力の供給を受けない限り、起動することができない非接触型無線通信機器などに用いるのに適している。
【図１】
0004672666.tif 000002
【図２】
0004672666.tif 000003
【図３】
0004672666.tif 000004
【図４】
0004672666.tif 000005
【図５】
0004672666.tif 000006
【図６】
0004672666.tif 000007
【図７】
0004672666.tif 000008
【図８】
0004672666.tif 000009
【図９】
0004672666.tif 000010
【図１０】
0004672666.tif 000011
【図１１】
0004672666.tif 000012
【図１２】
0004672666.tif 000013
【図１３】
0004672666.tif 000014
【図１４】
0004672666.tif 000015
【図１５】
0004672666.tif 000016
【図１６】
0004672666.tif 000017
【図１７】
0004672666.tif 000018